(57)【要約】【課題】端子を傷つけることなく、かつ、容易に端子収容室から引き抜くことができる端子抜き冶具を提供すること。【解決手段】コネクタハウジング３０の端子収容室３１内の端子４０を係止する係止突起３２ａおよび係止解除方向に撓ませる力が作用される先端突出部３２ｂを有する弾性係止片３２に向けて冶具挿入空間３３を通して挿入される部分であり、冶具挿入空間３３への挿入姿勢にて端子４０側の面である端子側面２０ａから端子側面２０ａの裏面２０ｂに向けて後退する傾斜の先端面として形成され、先端突出部３２ｂに摺接されることによって弾性係止片３２を係止解除方向に撓ませる係止解除傾斜面２１と、先端２０ｃが端子４０に接触されることを阻止するように端子側面２０ａに突設された凸部２２と、を備える挿入部２０を有する。【選択図】図４
2020126756.tif 000002
【特許請求の範囲】
【請求項１】
コネクタハウジングの端子収容室内の端子を係止する係止突起および係止解除方向に撓ませる力が作用される先端突出部を有する弾性係止片に向けて冶具挿入空間を通して挿入される部分であり、
前記冶具挿入空間への挿入姿勢にて前記端子側の面である端子側面から該端子側面の裏面に向けて後退する傾斜の先端面として形成され、前記先端突出部に摺接されることによって前記弾性係止片を係止解除方向に撓ませる係止解除傾斜面と、
先端が前記端子に接触されることを阻止するように前記端子側面に突設された凸部と、
を備える挿入部
を有することを特徴とする端子抜き冶具。
【請求項２】
前記凸部は、
前記挿入部の先端周辺に配置される
ことを特徴とする請求項１に記載の端子抜き冶具。
【請求項３】
前記挿入部は、
前記係止解除傾斜面に向けて厚みを薄くするように前記裏面に形成された傾斜面であり、前記挿入部が前記冶具挿入空間の挿入完了位置まで挿入される際、前記先端突出部を前記裏面側に誘導する係止片収納傾斜面
が形成されていることを特徴とする請求項１または２に記載の端子抜き冶具。
【発明の詳細な説明】
【技術分野】
【０００１】
本発明は、弾性係止片によって端子収容室内に係止された端子の係止を解除するために用いる端子抜き冶具に関する。
【背景技術】
【０００２】
従来、コネクタハウジングの端子収容室内に収容される端子は、端子収容室からの離脱防止のために弾性係止片によって係止されている。
このように弾性係止片によって端子収容室内に係止された端子を引き抜く場合、弾性係止片を係止解除方向に撓ませる必要があるため、端子抜き冶具を用いている（例えば、特許文献１参照）。
【０００３】
特許文献１に記載された端子抜き冶具は、押圧面の弾性係止片への押圧方向に対する傾斜角度が、押圧面の上端側に向かって大きくなっている。
この特許文献１に記載された端子抜き冶具は、前後方向における押圧面の下端と上端との距離が小さく抑えられることによって、弾性係止片が最も撓んでも抜け止め突起と押圧面とが互いに干渉しないようになっている。
【先行技術文献】
【特許文献】
【０００４】
【特許文献１】特開２００８−２７００２６号公報
【発明の概要】
【発明が解決しようとする課題】
【０００５】
しかしながら、特許文献１に記載された端子抜き冶具１００は、図６（ａ）に示すように、端子抜き冶具１００がコネクタハウジング３００内に斜めに挿入された場合、端子抜き冶具１００の先端１００ａが端子２００に接触されることによって端子２００を傷つけてしまう問題があった。
また、特許文献１に記載された端子抜き冶具１００は、図６（ｂ）に示すように、端子収容室３１０内から端子２００を引き抜く際、端子２００が傾くと、弾性係止片３２０の先端に端子２００が引っ掛かるため、端子２００が引く抜き難くなってしまう問題があった。
【０００６】
本発明は、上記に鑑みてなされたものであって、端子を傷つけることなく、かつ、容易に端子収容室から引き抜くことができる端子抜き冶具を提供することを目的とする。
【課題を解決するための手段】
【０００７】
上述した課題を解決し、目的を達成するために、本発明に係る端子抜き冶具は、コネクタハウジングの端子収容室内の端子を係止する係止突起および係止解除方向に撓ませる力が作用される先端突出部を有する弾性係止片に向けて冶具挿入空間を通して挿入される部分であり、前記冶具挿入空間への挿入姿勢にて前記端子側の面である端子側面から該端子側面の裏面に向けて後退する傾斜の先端面として形成され、前記先端突出部に摺接されることによって前記弾性係止片を係止解除方向に撓ませる係止解除傾斜面と、先端が前記端子に接触されることを阻止するように前記端子側面に突設された凸部と、を備える挿入部を有することを特徴とする。
【０００８】
また、本発明に係る端子抜き冶具は、上記の発明において、前記凸部が、前記挿入部の先端周辺に配置されることを特徴とする。
【０００９】
また、本発明に係る端子抜き冶具は、上記の発明において、前記挿入部が、前記係止解除傾斜面に向けて厚みを薄くするように前記裏面に形成された傾斜面であり、前記挿入部が前記冶具挿入空間の挿入完了位置まで挿入される際、前記先端突出部を前記裏面側に誘導する係止片収納傾斜面が形成されていることを特徴とする。
【発明の効果】
【００１０】
本発明に係る端子抜き冶具は、前記係止解除傾斜面によって前記弾性係止片を解除方向に撓ませつつ、前記端子側面に突設された凸部が、前記挿入部の先端が前記端子に接触されることを阻止しているので、前記先端が接触して前記端子が傷つくことを防止することができる。
しかも、本発明に係る端子抜き冶具は、前記凸部が前記端子を押し上げる方向に突設されているので、前記端子を前記端子収容室から引き抜く際に、前記端子に前記弾性係止片が引っ掛かることを防止することができる。
従って、本発明に係る端子抜き冶具は、端子を傷つけることなく、かつ、容易に端子収容室から引き抜くことができる。
【図面の簡単な説明】
【００１１】
【図１】図１は、（ａ）が本発明の実施例１に係る端子抜き冶具の側面図であり、（ｂ）が（ａ）に示した挿入部の先端を拡大した図である。
【図２】図２は、図１に示した端子抜き冶具の先端周辺の斜視図であり、（ａ）が端子側面から斜め方向に視た図であり、（ｂ）が裏面側から斜め方向に視た図である。
【図３】図３は、コネクタハウジングおよび端子の断面図であり、端子収容室内に弾性係止片によって係止された端子を示した図である。
【図４】図４は、端子抜き冶具を用いて端子収容室内から端子を引き抜く手順、および、弾性係止片等の各部の動作について説明するための図である。
【図５】図５は、凸部の変形例を説明するための図である。
【図６】図６は、従来技術の問題点を説明するための図である。
【発明を実施するための形態】
【００１２】
以下、図面を参照して、本発明に係る端子抜き冶具の好適な実施例を詳細に説明する。
【実施例】
【００１３】
図１は、（ａ）が本発明の実施例１に係る端子抜き冶具１の側面図であり、（ｂ）が（ａ）に示した挿入部２０の先端２０ｃを拡大した図である。図２は、図１に示した端子抜き冶具１の先端２０ｃ周辺の斜視図であり、（ａ）が端子側面２０ａ側から斜め方向に視た図であり、（ｂ）が裏面２０ｂ側から斜め方向に視た図である。図３は、コネクタハウジング３０および端子４０の断面図であり、端子収容室３１内に弾性係止片３２によって係止された端子４０を示した図である。
本発明の実施例に係る端子抜き冶具１は、コネクタハウジング３０の端子収容室３１内に弾性係止片３２によって係止された端子４０を引き抜く際に、弾性係止片３２を係止解除方向に撓ませるために用いる冶具である。
まず、端子抜き冶具１の説明の前に、端子４０およびコネクタハウジング３０について説明する。
【００１４】
端子４０は、金属板状部材を金型プレス加工等によって成形したものであり、図３に示すように、接続相手となる不図示の相手端子が接続される相手端子接続部４１と、相手端子接続部４１に連接する不図示の電線との接続部分と、を有する。
【００１５】
相手端子接続部４１は、底壁４２、底壁４２の両側端部に立設された一対の側壁４３、４３、および、天井壁４４によって角筒状に形成されている。
この相手端子接続部４１は、相手端子のタブ状の接続部分が、図３中左方向から後述する相手端子挿入口３５を通して筒内部に挿入されることによって、天井壁４４側に設けられた弾性接続片４５と底壁４２との間に挟持接続されるようになっている。
【００１６】
また、相手端子接続部４１は、底壁４２に弾性係止片３２の係止突起３２ａが係合する係止孔４２ａが形成されている。
【００１７】
次に、コネクタハウジング３０について説明する。
コネクタハウジング３０は、絶縁樹脂製のブロック体であり、端子４０が収容される端子収容室３１、および、端子抜き冶具１の後述する挿入部２０が挿入される冶具挿入空間３３を有する。
【００１８】
端子収容室３１は、図３における右側端に不図示の端子挿入口が形成されており、左側端に相手端子の接続部分が挿入される相手端子挿入口３５が形成されている。
【００１９】
この端子収容室３１は、弾性係止片３２が先端を端子収容室３１内に収容された端子４０の底壁４２側の壁３１ａに対して端子４０の挿入方向に上り勾配となる傾斜角度をつけた斜め方向に立接されている。
なお、弾性係止片３２と壁３１ａとの間に形成された空間が、弾性係止片３２が係止解除方向に撓むための撓み空間３４になっている。
【００２０】
また、弾性係止片３２は、端子収容室３１内の端子４０を係止する係止突起３２ａおよび係止解除方向に撓ませる力が作用される先端突出部３２ｂを有する。
【００２１】
係止突起３２ａは、弾性係止片３２が係止解除方向に撓んでいない弾性的に中立な状態で、端子収容室３１内に収容された端子４０の係止孔４２ａに係合される部分である。
【００２２】
先端突出部３２ｂは、弾性係止片３２の撓み空間３４側の面を形成する壁を係止突起３２ａの前端面からさらに前方に突出させた部分である。
【００２３】
冶具挿入空間３３は、コネクタハウジング３０の相手端子挿入口３５が形成される面に端子抜き冶具１の挿入部２０の挿入口となる冶具挿入口３３ａが形成され、冶具挿入口３３ａから弾性係止片３２に向けて延びる空間である。
【００２４】
より具体的には、冶具挿入空間３３は、冶具挿入口３３ａから弾性係止片３２の基端部まで連続した空間を形成しており、冶具挿入口３３ａから弾性係止片３２の基端部まで連続した面３３ｂが端子抜き冶具１の挿入部２０の裏面２０ｂに向かい合う面になっている。
【００２５】
次に、端子抜き冶具１について説明する。
端子抜き冶具１は、図１（ａ）に示すように、操作者が把持する部分となる把持部１０と、弾性係止片３２に向けて冶具挿入空間３３を通して挿入される部分となる挿入部２０と、を有する。
【００２６】
挿入部２０は、矩形断面の棒状部分であり、先端突出部３２ｂに摺接されることによって弾性係止片３２を係止解除方向に撓ませる係止解除傾斜面２１と、凸部２２と、を有する。
【００２７】
係止解除傾斜面２１は、冶具挿入空間３３への挿入姿勢にて端子４０側の面である端子側面２０ａから該端子側面２０ａの裏面２０ｂに向けて後退する傾斜の先端面として形成されている。
この係止解除傾斜面２１は、先端突出部３２ｂに摺接されることによって弾性係止片３２を係止解除方向に撓ませる。
【００２８】
凸部２２は、先端が端子４０に接触されることを阻止するように弾性係止片３２の端子側面２０ａに突設された部分である。
より具体的には、凸部２２は、端子側面２０ａから断面円弧状に突出した部分であり、挿入部２０の延在方向に沿ってエッジの無い滑らかな曲面を形成している。
この実施例では、凸部２２は、挿入部２０が冶具挿入空間３３の挿入完了位置まで挿入された状態で、端子４０に圧縮変形を生じずに接触した状態、いわゆるゼロタッチの状態になる。
なお、凸部２２は、挿入部２０が冶具挿入空間３３の挿入完了位置まで挿入された状態で、端子４０にゼロタッチの状態とならず、端子４０との間に僅かな隙間があっても構わない。
【００２９】
また、この実施例では、凸部２２は、挿入部２０の先端２０ｃ周辺に配置されている。
この凸部２２は、挿入部２０が冶具挿入空間３３に傾いて挿入された場合であっても、挿入部２０の先端２０ｃより先に端子４０に接触される。
すなわち、凸部２２は、挿入部２０の先端２０ｃが端子４０を傷つけることを阻止するようになっている。
【００３０】
また、凸部２２は、挿入部２０が冶具挿入空間３３の挿入完了位置まで挿入された状態で、端子４０を持ち上げる部分として機能しているので、端子４０を端子収容室３１から引き抜く際、端子４０が弾性係止片３２に引っ掛かり難くしている。
【００３１】
また、この実施例の挿入部２０は、係止片収納傾斜面２３が形成されている。
係止片収納傾斜面２３は、係止解除傾斜面２１に向けて厚みを薄くするように端子側面２０ａの裏面２０ｂ、すなわち、挿入部２０の裏面２０ｂに形成された傾斜面である。
【００３２】
この係止片収納傾斜面２３は、挿入部２０が冶具挿入空間３３の挿入完了位置まで挿入される際、先端突出部３２ｂが係止解除傾斜面２１から連続して摺接ガイドされることによって、先端突出部３２ｂを挿入部２０の裏面２０ｂ側に誘導する面である。
【００３３】
ここで、図４を用いて、端子抜き冶具１を用いて端子収容室３１内から端子４０を引き抜く手順、および、弾性係止片３２等の係止に関わる各部の動作について説明する。
図４は、端子抜き冶具１を用いて端子収容室３１内から端子４０を引き抜く手順、および、弾性係止片３２等の各部の動作について説明するための図である。
【００３４】
まず、端子抜き冶具１の操作者（以下、単に「操作者」という。）は、コネクタハウジング３０の冶具挿入口３３ａから挿入部２０を挿入開始する（図４（ａ）参照）。
挿入部２０を冶具挿入口３３ａから挿入開始する際、端子抜き冶具１が冶具挿入空間３３に対して斜めに挿入された場合であっても、係止片収納傾斜面２３がガイド面として機能することによって、挿入部２０が冶具挿入空間３３に入り込み易いようになっている。
【００３５】
その後、操作者は、挿入部２０を冶具挿入空間３３のさらに内方に移動する（図４（ｂ）参照）。
冶具挿入空間３３の内方に挿入された挿入部２０は、その姿勢が冶具挿入空間３３の延在方向に沿った状態となり、端子４０との接触部分が凸部２２のみとなる。
すなわち、端子抜き冶具１は、端子側面２０ａのうち、凸部２２のみを端子４０との接触部分として、冶具挿入空間３３の内方に挿入部２０を挿入させることができる。
このため、端子抜き冶具１は、先端２０ｃを端子４０に接触させることなく、凸部２２のみを端子４０に接触させて挿入部２０を冶具挿入空間３３の内方に挿入させる。
【００３６】
その後、操作者は、挿入部２０を冶具挿入空間３３の挿入完了位置まで挿入する（図４（ｃ）参照）。
より具体的には、挿入部２０は、挿入完了位置までの挿入の過程で、先端面である係止解除傾斜面２１が弾性係止片３２の先端突出部３２ｂに当接する。その後、挿入部２０は、先端突出部３２ｂに当接した状態で挿入方向へさらに移動すると、先端突出部３２ｂを係止解除傾斜面２１に摺接させることによって、弾性係止片３２を係止解除方向に撓ませる。その後、挿入部２０は、挿入方向へさらに移動し、先端突出部３２ｂを係止解除傾斜面２１に摺接させながら、弾性係止片３２をさらに係止解除方向に撓ませると、先端突出部３２ｂが係止片収納傾斜面２３に誘導されて挿入部２０の裏面２０ｂ側に収納される。
【００３７】
挿入部２０が冶具挿入空間３３の挿入完了位置まで挿入されると、凸部２２が端子４０を持ち上げているので、端子４０を端子収容室３１から引き抜く際、端子４０が弾性係止片３２に引っ掛かり難い状態になっている。
特に、この実施例では、凸部２２は、挿入部２０の先端２０ｃ周辺に配置されているので、端子４０の係止孔４２ａ周辺を持ち上げるようになっている。
【００３８】
また、先端突出部３２ｂが挿入部２０の裏面２０ｂ側に収容されることによって、端子抜き冶具１が弾性係止片３２によって押し返されないようになっている。
【００３９】
最後に、操作者は、端子４０を端子収容室３１から引き抜く。
挿入完了位置まで挿入された端子抜き冶具１は、凸部２２によって端子４０を押し上げ、端子４０が弾性係止片３２に引っ掛かり難い状態にし、さらに、先端突出部３２ｂを挿入部２０の裏面２０ｂ側に収容し、弾性係止片３２によって押し返されないようにしている。
操作者は、このように端子抜き冶具１によって係止解除された端子４０を端子収容室３１から容易に引き抜くことができる。
【００４０】
本発明の実施例に係る端子抜き冶具１は、係止解除傾斜面２１によって弾性係止片３２を解除方向に撓ませつつ、端子側面２０ａに突設された凸部２２が、挿入部の先端２０ｃが端子４０に接触されることを阻止しているので、先端２０ｃが接触して端子４０が傷つくことを防止することができる。
しかも、本発明の実施例に係る端子抜き冶具１は、凸部２２が端子４０を押し上げる方向に突設されているので、端子４０を端子収容室３１から引き抜く際に、端子４０に弾性係止片３２が引っ掛かることを防止することができる。
従って、本発明に係る端子抜き冶具１は、端子４０を傷つけることなく、かつ、容易に端子収容室３１から引き抜くことができる。
【００４１】
また、本発明の実施例に係る端子抜き冶具１は、凸部２２が、挿入部２０の先端２０ｃ周辺に配置されるので、挿入部２０を冶具挿入空間３３に挿入する際、より早い段階で、凸部２２が端子４０に接触可能な状態になり、結果的に、挿入部２０の先端２０ｃが端子４０に接触されることをより確実に阻止することができる。
また、本発明に係る端子抜き冶具１は、挿入部２０が冶具挿入空間３３の挿入完了位置に挿入された状態で、凸部２２が端子４０の係止部分周辺で端子４０を押し上げることができるので、端子４０を端子収容室３１から引き抜く際、端子４０に弾性係止片３２が引っ掛かることをより確実に防止することができる。
【００４２】
また、本発明の実施例に係る端子抜き冶具１は、挿入部２０が冶具挿入空間３３の挿入完了位置まで挿入される際、係止片収納傾斜面２３によって、弾性係止片３２の先端突出部３２ｂを挿入部２０の裏面２０ｂ側に誘導することができる。
従って、本発明に係る端子抜き冶具１は、挿入部２０が冶具挿入空間３３の挿入完了位置まで挿入される際、端子抜き冶具１が弾性係止片３２によって押し返されないので、係止解除性を向上することができる。
【００４３】
なお、本発明の実施例に係る端子抜き冶具１は、凸部２２が、挿入部２０の先端２０ｃ周辺に配置されるものを例示したが、これに限らず、凸部２２は、挿入部２０の先端２０ｃが端子４０に接触されることを阻止するように端子側面２０ａに突設されていればよい。
【００４４】
また、本発明の実施例に係る端子抜き冶具１は、凸部２２が、端子側面２０ａから断面円弧状に突出した部分であり、挿入部２０の延在方向に沿ってエッジの無い滑らかな曲面を形成するものを例示したが、これに限らず、挿入部２０の先端２０ｃが端子４０に接触されることを阻止するように端子側面２０ａに突設されていればよい。例えば、凸部２４は、図５に示すように、頂部が平面であるものであっても構わない。
【００４５】
以上、本発明者によってなされた発明を、上述した発明の実施例に基づき具体的に説明したが、本発明は、上述した発明の実施例に限定されるものではなく、その要旨を逸脱しない範囲において種々変更可能である。
【符号の説明】
【００４６】
１          端子抜き冶具
１０        把持部
２０        挿入部
２０ａ      端子側面
２０ｂ      裏面
２０ｃ      先端
２１        係止解除傾斜面
２２、２４  凸部
２３        係止片収納傾斜面
３０        コネクタハウジング
３１        端子収容室
３１ａ      壁
３２        弾性係止片
３２ａ      係止突起
３２ｂ      先端突出部
３３        冶具挿入空間
３３ａ      冶具挿入口
３３ｂ      面
３４        撓み空間
３５        相手端子挿入口
４０        端子
４１        相手端子接続部
４２        底壁
４２ａ      係止孔
４３        側壁
４４        天井壁
４５        弾性接続片
【図１】
2020126756.tif 000003
【図２】
2020126756.tif 000004
【図３】
2020126756.tif 000005
【図４】
2020126756.tif 000006
【図５】
2020126756.tif 000007
【図６】
2020126756.tif 000008